(57)【要約】【課題】            指先と手袋との滑りを押さえてフィット感と操作性に優れたスポーツ用手袋を提供することを目的とする。【解決手段】        着用者の手を覆う手袋本体部を含むスポーツ用手袋１であって、前記手袋本体部２０は親指部、人差し指部、中指部、薬指部及び小指部を覆う各指部分を含み、前記各指部分の先端部の掌側に滑り止め部材３を設けたことを特徴とするスポーツ用手袋である。前記滑り止め部材３０を設けた部分の剛性が、前記滑り止め部材を設けていない部分の剛性に比べて高いことを特徴とする。前記滑り止め部材３０の表面に、複数の連続した凹凸を設けたことを特徴とする。【選択図】          図１
2005350833.tif 000002
【特許請求の範囲】
【請求項１】
着用者の手を覆う手袋本体部を含むスポーツ用手袋であって、前記手袋本体部は親指部、人差し指部、中指部、薬指部及び小指部を覆う各指部分を含み、前記各指部分の先端部の掌側に滑り止め部材を設けたことを特徴とするスポーツ用手袋。
【請求項２】
請求項１に記載のスポーツ用手袋であって、前記手袋本体部のうち、掌側を覆う掌部材は複数層で構成し、前記複数層のうち内側層のみに滑り止め部材を縫着したことを特徴とするスポーツ用手袋。
【請求項３】
前記滑り止め部材を設けた部分の剛性が、前記滑り止め部材を設けていない部分の剛性に比べて高いことを特徴とする請求項１又は２に記載のスポーツ用手袋。
【請求項４】
前記滑り止め部材の表面に、複数の連続した凹凸を設けたことを特徴とする請求項１乃至３のいずれかに記載のスポーツ用手袋。
【発明の詳細な説明】
【技術分野】
【０００１】
本発明はスポーツ用手袋に関するものであり、より詳細には指先と手袋との滑りを押さえることでフィット感と操作性を向上させたスポーツ用手袋に関するものである。
【背景技術】
【０００２】
従来より、スポーツ用手袋に関しては、フィット感や操作性を高めるために、種々の工夫がなされている。中でもサッカー用のキーパーグローブについて説明すると、この種の手袋は他のスポーツ用手袋に比べて、手袋本体が着用者の手の大きさよりも大きめに設計されていることが多くフィット感に乏しい。具体的には指先を動かした際に手袋内で指先が滑ってしまい、指先の動きに手袋が追随しないので操作性が悪くなる。
そのような不具合を解決するために、手袋内側の掌側全体に滑り止めとしてラテックススポンジを使用し、手と手袋のフィット感を高め、滑り止めの効果で指先の動きと手袋の動きのロスを少なくした手袋も存在する。しかしながら、掌側全体にラテックススポンジを使用することで、ラテックススポンジが密着し蒸れて不快感を与えるといった不具合が生じる。
【０００３】
また、特許文献１には、滑り防止用のパッドを指袋の掌側内皮に密着させ、グラブを握った際に、パッド内の凹部に指の腹部が係合して、指袋内における指の滑りを防止することを目的とした、野球用グラブの指袋挿入用パッドが開示されている。
【特許文献１】特開平９−２８５５８８号公報
【発明の開示】
【発明が解決しようとする課題】
【０００４】
前記特許文献１の発明では、野球用グラブのように、掌部材がある程度の硬さを有する材料の場合は効果を得られるが、キーパーグラブのように使用時の手や指の自由度が高く、柔軟性を求められるものには、指の滑りを防止する効果が得られず適さない。
そこで本発明は、前記課題を解決するために、指先と手袋との滑りを押さえてフィット感と操作性に優れたスポーツ用手袋を提供することを目的とする。
【課題を解決するための手段】
【０００５】
本発明に係るスポーツ用手袋は、着用者の手を覆う手袋本体部を含むスポーツ用手袋であって、前記手袋本体部は親指部、人差し指部、中指部、薬指部及び小指部を覆う各指部分を含み、前記各指部分の先端部の掌側に滑り止め部材を設けたことを特徴とするスポーツ用手袋である。
【発明の効果】
【０００６】
本発明に係るスポーツ用手袋では、各指部分の先端部の掌側に滑り止め部材を設けることによって、指先と手袋との滑りを押さえてフィット感と操作性に優れたスポーツ用手袋とすることができる。
手袋本体部のうち、掌側を覆う掌部材は複数層で構成し、前記複数層のうち内側層のみに滑り止め部材を縫着すれば、滑り止め部材を固着する縫い糸が、掌部分の最外層の外側には露出することはないので、繰り返しの使用した際の磨耗による糸切れやサッカーボール等との接触面積の減少によるグリップ力の低下を抑制することができる。
滑り止め部材の表面（人体と接する側）に、指の周方向に沿った連続した複数の凹凸を設ければ、指を屈曲する際に指の腹部で滑り止め部材を掴まえやすくなり、フィット性をより高めることが可能である。
また、滑り止め部材を設けた部分の剛性を、滑り止め部材を設けていない部分の剛性に比べて高くすれば、指を屈曲する際の指先の動きに、手袋の屈曲が追随しやすくなり、さらにフィット性と操作性を高めることができる。
【発明を実施するための最良の形態】
【０００７】
以下、本発明の実施の形態について以下に示す。
本発明に係るスポーツ用手袋は、少なくとも着用者の手を覆う手袋本体部を含む部材で構成される。前記手袋本体部は親指部、人差し指部、中指部、薬指部及び小指部を覆う各指部分を含み、各指部分の先端部に係止部材を設けたことを特徴とする。
手袋本体部は、着用者の手の甲側を覆う手甲部分、掌側を覆う掌部分、及び親指部、人差し指部、中指部、薬指部、小指部のそれぞれを覆う各指部分で構成される。前記の各部分はそれぞれを別々の部材で構成してもよいし、複数の部分をまとめて一つの部材としてもよい。例えば、手の甲及び各指部の甲側を覆う部分を一つの部材で構成し、掌及び各指部の掌側を覆う部分を一つの部材で構成し、両部材を一体化することで手袋本体部を構成することが可能である。また、各部分に用いる部材は、複数の素材を重ねあわせた複数層で構成することも可能である。例えば、掌部分の内側（人体側）に掌内装材を設け、外側の部材と一体化し、掌部分とすることができる。
【０００８】
手袋本体部に用いる素材は、これまでのスポーツ用手袋において用いられるものであればよく、特に限定はされない。
例えば、甲の部分には合成皮革、ニット、ラテックススポンジ、ＥＶＡ等を用いることができ、掌の部分にはラテックススポンジ、合成皮革等を用いることができる。
掌を覆う掌部分の内側（人体側）は運動による発汗や蒸れによって、不快感を感じやすいので、ラテックススポンジを補強するためにトリコット等の素材を用いることが好ましい。
【０００９】
手袋本体部を形成する際には、複数の部材を縫製や接着によって一体化する方法が可能である。
縫着方法としては、本縫い、環縫い、１本針オーバーロック、２本針オーバーロック、フラットシーマ、平三本飾り縫い等の縫目を形成するミシンで縫着する方法があげられる。
【００１０】
本発明に係るスポーツ用手袋では、各指部の掌側の先端部に滑り止め部材を設ける。前記先端部とは各指の指先から第一関節または第二関節までの部分とする。滑り止め部材を設ける指は、親指部、人差し指部、中指部、薬指部及び小指部の五指の中で、特に限定されるものではなく、全ての指部に設けてもよいし、一箇所以上のいずれかの指部のみに設けてもよい。
【００１１】
滑り止め部材の大きさについて説明すると、縦方向（指の長さ方向）の長さについては、各指の指先から第一関節または第二関節まであることが好ましく、また横方向（指の周方向）の幅については、指の滑り防止が達成される範囲内であれば特に限定はされないが、各指部の掌側全体を覆う程度であることが好ましい。また厚さについては１ｍｍ〜３ｍｍ程度であることが好ましい。１ｍｍ未満の場合は耐久性に問題があり、３ｍｍより大きい場合は手袋内での圧迫感及び屈曲性に問題が生じる可能性がある。
【００１２】
滑り止め部材の表面（人体と接する側）には、複数の連続した凹凸を設けることが好ましい。凹凸の方向は指の屈曲を考慮して指の周方向に沿って設けることが好ましい。凹凸を設けることで指を屈曲する際に、指の腹部で滑り止め部材を掴まえやすくなり、フィット性をより高めることが可能である。或いは同様の目的で、滑り止め部材の表面に複数の突起を設けてもよい。
【００１３】
滑り止め部材は縫着及び／又は接着によって、手袋本体部と一体化する。
【００１４】
縫着によって滑り止め部材と手袋本体部とを一体化する場合は、手袋本体部において掌側を覆う掌部材を複数層で構成し、この複数層のうち内側層のみに滑り止め部材を縫着すれば、縫い糸が掌部分の外側に露出することはないので、繰り返しの使用した際の磨耗による糸切れやサッカーボール等との接触面積の減少によるグリップ力の低下を抑制することができる。
【００１５】
滑り止め部材に用いる素材は、ラテックススポンジ、ラバー、ＰＶＣ等で構成することが好ましいが、軽量化、クッション性、フィット感を考慮すると、ラテックススポンジを用いることが好ましい。
【００１６】
また滑り止め部材を設けた部分の剛性を、滑り止め部材を設けていない部分の剛性に比べて高くすれば、指を屈曲する際の指先の動きに、手袋の屈曲が追随しやすくなる。
【００１７】
手袋本体部に連続する手の挿入口付近には、ベルトや面ファスナー等による緊締具を設けて、挿入口部分の緊締力を調節可能とすることが好ましい。
【００１８】
本発明に係るスポーツ用手袋は、サッカーのキーパー用グローブ、スキー用手袋などに好適である。
【実施例】
【００１９】
以下、図１及び図２を用いて、本発明の実施例について説明する。図１はスポーツ用手袋（左手用）を外側から見た図であり、図１（ａ）はスポーツ用手袋１を掌側から見た図、図１（ｂ）は同じく甲側から見た図である。図２（ａ）はスポーツ用手袋（左手用）の内側を掌側から見た図（人体に接する側が見えるように内外が逆になるように裏返した状態図）であり、図２（ｂ）は、図２（ａ）中のＡ−Ａ線断面拡大図である。
【００２０】
スポーツ用手袋１の手袋本体部２０は、着用者の掌及び五指の掌側を覆う掌部材２１と、着用者の手の甲及び五指の甲側を覆う手甲部材２２とで構成した。
掌部材２１は、外側から順番にラッテクススポンジ、ポリウレタンフォーム、トリコットの三層構造で構成した。
また、手甲部材２２は、外側から順番にニット、ラテックススポンジの二層構造で構成した。
【００２１】
掌部材２１は、外側から順番にラッテクススポンジ、ポリウレタンフォーム、トリコットの三層構造で構成されるシート状の材料を抜き型により所定の形状に打ち抜く。この時、各層は接着剤または熱融着によって接着されている。所定の形状に打ち抜いた後、五指のうち、親指部以外の各指部は指先から第二関節を超えた付近、親指部は第一関節を超えた付近までラテックススポンジとポリウレタンフォーム間を剥離する。そして掌部材２１の各指部における先端部の内側（人体側）にラテックススポンジで構成した滑り止め部材３を設けた。滑り止め部材３は三層で構成される掌部材２１のうち、内側の二層であるポリウレタンフォームとトリコットの部分に縫着によって一体化した後、剥離したラテックススポンジとポリウレタンフォーム間を再び接着剤で接着する。
これにより滑り止め部材３を固着する縫い糸が、掌部分２１の最外層のラテックススポンジの外側には露出することはないので、繰り返しの使用した際の磨耗による糸切れやサッカーボール等との接触面積の減少によるグリップ力の低下を抑制することができる。
【００２２】
滑り止め部材３を設ける位置は、各指部の先端部すなわち各指の指先から第一関節または第二関節までの部分とした。具体的な滑り止め部材の縦方向（指の長さ方向）の長さＬ及び横方向（指の周方向）の幅ｗについては、親指部が縦：５５ｍｍ、横：３５ｍｍ、人差し指部が縦：６０ｍｍ、横：２５ｍｍ、中指部が縦：６５ｍｍ、横：２５ｍｍ、薬指部が縦：６０ｍｍ、横：２５ｍｍ、小指部が縦：４５ｍｍ、横：２５ｍｍとした。なお前記の各値はそれぞれ部分における最大値である。
【００２３】
また、滑り止め部材の表面（人体と接する側）には、各指の周方向に沿って、複数の連続した凹凸を設けた。凹凸部分の厚みは凸部の厚みｔ１が３ｍｍ、凹部の厚みｔ２が１ｍｍである。
滑り止め部材の縦横方向の大きさ及び厚さは、特に前記の値には限定はされるものではなく、着用者が指を屈曲する際に、手袋内での指先の滑りを防止する目的が達成される範囲内であればよい。
【００２４】
滑り止め部材を設けた部分の剛性は、滑り止め部材を設けていない部分の剛性に比べて高くしたので、指を屈曲する際の指先の動きに手袋の屈曲が追随しやすくなっている。
【００２５】
手甲部分２２には指マチを縫着し、さらに滑り止め部材３が縫着された掌部材２１と縫着により一体化した。
【００２６】
手袋本体部に連続する手の挿入口付近には、ベルト及び面ファスナーによる緊締具４を設けて、挿入口部分の緊締力を調節可能とした。
【図面の簡単な説明】
【００２７】
【図１】図１（ａ）は本発明の実施例のスポーツ用手袋（左手用）の外側を掌側から見た図、図１（ｂ）は同じく甲側から見た図である。
【図２】図２（ａ）は本発明の実施例のスポーツ用手袋（左手用）の内側を掌側から見た図、図２（ｂ）は、図２（ａ）中のＡ−Ａ線断面拡大図である。
【符号の説明】
【００２８】
１    スポーツ用手袋
２０  手袋本体部
２１  掌部材
２２  手甲部材
３    滑り止め部材
４    緊締具
Ｌ    長さ
ｗ    幅
ｔ１、ｔ２  厚み
【図１】
2005350833.tif 000003
【図２】
2005350833.tif 000004